(57)【要約】【課題】収納部の開口部から回路遮断器内部への異物の進入を防止し、この異物の進入による故障を防止することができる回路遮断器を提供する。【解決手段】回路遮断器はカバー１の収納部３の内側から操作ハンドル５側に連通する開口部６をリセット部材７により閉塞して回路遮断器内部への異物の進入を防止する。リセット部材７は操作ハンドル５の操作方向に摺動自在に設けられ、第１係止部７ａが操作ハンドル５に係止し、第２係止部７ｂが付属装置２のリセット部２ａに係止し、操作ハンドル５をリセット操作することによってリセット部材７を介して付属装置２をリセットする。【選択図】図１
2006012614.tif 000002
【特許請求の範囲】
【請求項１】
カバーとベースとで遮断器ケースを構成し、前記カバーに形成された収納部にカセット式の電圧引き外し装置又は不足電圧引き外し装置を装着し、電路を開閉操作するために前記カバーから突出して設けられた操作ハンドルの操作によって前記電圧引き外し装置又は不足電圧引き外し装置をリセットする回路遮断器において、前記収納部の内側から前記操作ハンドル側に連通する開口部に、前記操作ハンドルに係止する第１係止部と、前記電圧引き外し装置又は前記不足電圧引き外し装置のリセット部に係止する第２係止部とを有するリセット部材を前記開口部が閉塞するように前記操作ハンドルの操作方向に摺動自在に設け、前記操作ハンドルによってリセット操作した際に前記リセット部材を介して前記電圧引き外し装置又は不足電圧引き外し装置をリセットするようにしたことを特徴とする回路遮断器。
【請求項２】
前記カバーの裏面に垂設された極間を絶縁するための二重壁の一部を切り欠き、前記二重壁の両壁間に前記リセット部材を設けたことを特徴とする請求項１に記載の回路遮断器。
【発明の詳細な説明】
【技術分野】
【０００１】
本発明は、付属装置である電圧引き外し装置又は不足電圧引き外し装置を装着した回路遮断器に関する。
【背景技術】
【０００２】
遮断器ケースのカバーの表面に凹状の収納部が形成された回路遮断器は、電圧引き外し装置又は不足電圧引き外し装置等の付属装置が装着できるようになっている。電圧引き外し装置は遠隔からの操作によって電圧を印加することにより作動し、回路遮断器の開閉機構部を動作させて主電路を遮断するためのものであり、不足電圧引き外し装置は主電路の電圧が所定電圧以下となったときに作動し、回路遮断器の開閉機構部を動作させて主電路を遮断するためのものであり、これらの付属装置は作動後にリセットを行う必要がある。リセットの方法には回路遮断器の操作ハンドルの操作により行う方法があり、この方法では操作ハンドルと付属装置のリセット部が直接係合する構造なので収納部は操作ハンドル側に開口部が形成されていた（例えば、特許文献１参照。）。
【０００３】
【特許文献１】特開２００３−１５１４２４号公報（ｐ．７、第９図）
【発明の開示】
【発明が解決しようとする課題】
【０００４】
このため、従来の回路遮断器は収納部の蓋を開放した際に蓋の上に溜まったゴミや塵埃等の異物が収納部の開口部から回路遮断器の内部に進入する虞があり、この異物によって回路遮断器が故障する虞があった。
【課題を解決するための手段】
【０００５】
本発明は、請求項１に記載の発明によれば、カバーとベースとで遮断器ケースを構成し、カバーに形成された収納部にカセット式の電圧引き外し装置又は不足電圧引き外し装置を装着し、電路を開閉操作するためにカバーから突出して設けられた操作ハンドルの操作によって電圧引き外し装置又は不足電圧引き外し装置をリセットする回路遮断器において、収納部の内側から操作ハンドル側に連通する開口部に、操作ハンドルに係止する第１係止部と、電圧引き外し装置又は不足電圧引き外し装置のリセット部に係止する第２係止部とを有するリセット部材を開口部が閉塞するように操作ハンドルの操作方向に摺動自在に設け、操作ハンドルによってリセット操作した際にリセット部材を介して電圧引き外し装置又は不足電圧引き外し装置をリセットするようにしたことを特徴とする。
【０００６】
請求項２に記載の発明によれば、請求項１に記載の回路遮断器において、カバーの裏面に垂設された極間を絶縁するための二重壁の一部を切り欠き、前記二重壁の両壁間に前記リセット部材を設けたことを特徴とする。
【発明の効果】
【０００７】
請求項１に記載の回路遮断器によれば、カバーとベースとで遮断器ケースを構成し、カバーに形成された収納部にカセット式の電圧引き外し装置又は不足電圧引き外し装置を装着し、電路を開閉操作するためにカバーから突出して設けられた操作ハンドルの操作によって電圧引き外し装置又は不足電圧引き外し装置をリセットする回路遮断器において、収納部の内側から操作ハンドル側に連通する開口部に、操作ハンドルに係止する第１係止部と、電圧引き外し装置又は不足電圧引き外し装置のリセット部に係止する第２係止部とを有するリセット部材を開口部が閉塞するように操作ハンドルの操作方向に摺動自在に設け、操作ハンドルによってリセット操作した際にリセット部材を介して電圧引き外し装置又は不足電圧引き外し装置をリセットするようにしたことにより、収納部の開口部から回路遮断器内部への異物の進入を防止し、この異物の進入による回路遮断器の故障を防止することができるという効果がある。
【０００８】
請求項２に記載の発明によれば、請求項１に記載の回路遮断器において、カバーの裏面に垂設された極間を絶縁するための二重壁の一部を切り欠き、二重壁の両壁間にリセット部材を設けたことにより、回路遮断器のカバーの形状を利用してリセット部材を取り付けることができるという効果がある。
【発明を実施するための最良の形態】
【０００９】
回路遮断器はカバーの収納部の内側から操作ハンドル側に連通する開口部をリセット部材により閉塞して回路遮断器内部への異物の進入を防止する。リセット部材は操作ハンドルの操作方向に摺動自在に設けられ、第１係止部が操作ハンドルに係止し、第２係止部が付属装置のリセット部に係止し、操作ハンドルをリセット操作することによってリセット部材を介して付属装置をリセットする。
【実施例１】
【００１０】
本発明に係る回路遮断器の実施例１を図１〜図７の添付図面に基づいて説明する。
【００１１】
回路遮断器は、絶縁材料により形成されたベース（図示せず）とカバー１とで遮断器ケースを構成し、カバー１の表面には電圧引き外し装置又は不足電圧引き外し装置等の付属装置２を収納するための凹状の収納部３が形成され、収納部３の前面には収納部３を閉塞するための蓋４が開閉自在に設けられる。また、カバー１は電路を開閉操作するための操作ハンドル５が略中央部から突出して設けられる。
【００１２】
カバー１は収納部３の内側から操作ハンドル５側に連通する開口部６が形成され、この開口部６にリセット部材７が設けられる。リセット部材７は板状であり、操作ハンドル５に係止する凸状の第１係止部７ａが一方の面に形成され、付属装置２のリセット部２ａに係止する凹状の第２係止部７ｂが長手方向の一端縁を切り欠いて形成されている。
【００１３】
カバー１の裏面には各極間を絶縁するための二重壁８，９が垂設され、この回路遮断器は３極なので２箇所に形成されている。このうち収納部側の二重壁８は、一方の壁８ａが収納部３に連続して形成されている。即ち、一方の壁８ａには収納部３の開口部６が形成されている。また、二重壁８の他方の壁８ｂには収納部３の開口部６から操作ハンドル５側に連通するために開口部１０が切り欠き形成され、この二重壁８の他方の壁８ｂの開口部１０は収納部３の開口部６と奥行き方向に段違いになるように形成されている。
【００１４】
リセット部材７は第１係止部７ａが操作ハンドル５側となるようにし、且つ、第２係止部７ｂがカバー１の表面側となるようにして二重壁８の両壁８ａ，８ｂ間に嵌挿され、操作ハンドル５の操作方向に摺動自在に取り付けられる。こうして収納部３の開口部６には第２係止部７ｂが位置し、二重壁８の他方の壁８ｂの開口部１０には第１係止部７ａが位置し、収納部３の開口部６はリセット部材７によって完全に閉塞されるようになっている。これにより、第１係止部７ａは操作ハンドル５に係止し、操作ハンドル５を操作することによってリセット部材７は摺動する。尚、リセット部材７は第１係止部７ａの周囲に形成した段部７ｃが開口部１０の縁に当接することによって摺動範囲が規制されている。
【００１５】
カバー１の収納部３の上下には付属装置２を取り付けるための係合孔１２，１３が形成され、また、収納部３から下方に向けて伸びる挿通孔１４が形成されている。この挿通孔１４は付属装置２が作動した際に回路遮断器１の開閉機構部（図示せず）を作動させるためのＬ字形の引き外し片２ｂが挿通するためのもので、付属装置２は引き外し片２ｂを収納部３の挿通孔１０に挿通するようにし、且つ、リセット部２ａをリセット部材７の第２係止部７ｂに嵌めるようにして、付属装置２の引き外し片２ｂと同じ面に形成した係合部２ｃを収納部３の下側の係合孔１２に係合させ、係合部２ｃと反対面に形成した弾性係合部２ｄを収納部３の上側の係合孔１３に係合させて収納部３に収納する。
【００１６】
付属装置２は図５の正面図においてリセット部２ａが実線で示すように下側に位置するときは作動可能にセットされたオン状態であり、２点鎖線で示すように上側に位置するときは作動後のオフ状態である。また、図６に示すように操作ハンドル５が実線で示すオン位置又は２点鎖線で示すトリップ位置にあるとき、リセット部材７は上側に位置し、図７に示すように操作ハンドル５が実線で示すオフ位置又は２点鎖線で示すリセット位置にあるとき、リセット部材７は下側に位置する。
【００１７】
従って、付属装置２がオンにセットされ、操作ハンドル５がオンの状態で付属装置２が作動すると、引き外し片２ｂが付属装置２内に引き込まれ、引き外し片２ｂに係止した回路遮断器１の開閉機構部を作動させ、主電路を遮断する。このとき、付属装置２のリセット部２ａは上側に位置し、操作ハンドル５はトリップ位置に位置する。ここから、付属装置２をリセットするには、操作ハンドル５をリセット位置になるまで指で押し下げる。すると、操作ハンドル５に連動してリセット部材７が下側に移動し、付属装置２のリセット部２ａが下側に押し下げられるのでリセットされる。操作ハンドル５は指を離すとバネ（図示せず）の力によってオフ位置まで戻る。それから、回路遮断器１の操作ハンドル５をオン位置まで押し上げて復帰させる。このとき、リセット部材７の第２係止部７ｂの切り欠き長さは付属装置２のリセット部２ａがオン・オフできるだけの長さを有しているので、付属装置２のリセット部２ａは押し上げられることはなく、オン位置で保持される。
【００１８】
尚、リセット部材の形状について、第１係止部及び第２係止部は操作ハンドルと付属装置のリセット部に夫々係止する形状であって、且つ、収納部の開口部を閉塞する形状であれば良く、例えば、第１係止部及び第２係止部の両方を凸状に形成したり、リセット部材の一方の面に凸状の第１係止部を形成して他方の面に凹状の第２係止部を形成する等、本発明の趣旨を逸脱しない範囲において適宜に変更して実施することも可能である。
【００１９】
また、カバーの開口部の形状についても、本実施例においては収納部の開口部と二重壁の他方の壁の開口部とを段違いに形成したが、二重壁をなくして収納部の開口部の近傍に溝を形成してリセット部材を摺動自在に形成する等、本発明の趣旨を逸脱しない範囲において適宜に変更して実施することも可能である。
【図面の簡単な説明】
【００２０】
【図１】本発明に係る回路遮断器の蓋を外したカバーを表面側から見た斜視図である。
【図２】本発明に係る回路遮断器の蓋を外したカバーを裏面側から見た斜視図である。
【図３】本発明に係るリセット部材を示す斜視図である。
【図４】本発明に係る回路遮断器の蓋を外したカバーの正面図である。
【図５】本発明に係る付属装置の正面図である。
【図６】図４のＡ−Ａ線断面図に蓋と操作ハンドルを設けたものであり、操作ハンドルがオン又はトリップ位置における状態を示す。
【図７】図４のＡ−Ａ線断面図に蓋と操作ハンドルを設けたものであり、操作ハンドルがオフ又はリセット位置における状態を示す。
【符号の説明】
【００２１】
１    カバー
２    付属装置
３    収納部
５    操作ハンドル
６    開口部
７    リセット部材
７ａ    第１係止部
７ｂ    第２係止部
８    二重壁
１０    開口部
【図１】
2006012614.tif 000003
【図２】
2006012614.tif 000004
【図３】
2006012614.tif 000005
【図４】
2006012614.tif 000006
【図５】
2006012614.tif 000007
【図６】
2006012614.tif 000008
【図７】
2006012614.tif 000009